(57)【要約】【課題】スライドファスナーが破損しにくい洗濯ネットを提供する。【解決手段】ネット素材からなる袋体２０を、中央部分２１で二つ折り可能に構成し、中央部分２１の内側に、洗濯物Ｂの出し入れ口２２を形成するスライドファスナー３０を設けた。スライドファスナー３０は、中央部分２１における折り線Ａ方向に対して湾曲状に設ける。使用時、中央部分２１で二つ折りされたその中央部分２１の内側にスライドファスナー３０が配されるので、スライドファスナー３０は外部に露出しにくくなり、洗濯機の洗濯槽と摺接しにくくなり、破損しにくくなる。スライドファスナー３０が他の洗濯物と接触しにくくなる。スライドファスナー３０は、中央部分２１における折り線Ａ方向に対して湾曲状に設けられているので、スライドファスナー３０を開けて、洗濯ネット１０を二つ折り状態から展開した際、洗濯物Ｂの出し入れ口２２が大きく形成される。【選択図】図１
2014212889.tif 000002
【特許請求の範囲】
【請求項１】
ネット素材からなる袋体を、中央部分で二つ折り可能に構成し、該中央部分の内側に、洗濯物の出し入れ口を形成するスライドファスナーを設け、該スライドファスナーは、前記中央部分における折り線方向に対して湾曲状に設けたことを特徴とする洗濯ネット。
【請求項２】
前記スライドファスナーと、前記袋体の外周部との間に、袋体に収納された洗濯物の端部を入れることができるポケット部が形成されていることを特徴とする請求項１記載の洗濯ネット。
【請求項３】
前記スライドファスナーよりも前記袋体の外周部側において、前記ポケット部同士を連結するポケット連結部を設けたことを特徴とする請求項２記載の洗濯ネット。
【請求項４】
前記袋体は、前記折り線側と反対側の端部が湾曲状となっていることを特徴とする請求項１〜３のうちいずれか一項に記載の洗濯ネット。
【発明の詳細な説明】
【技術分野】
【０００１】
本発明は、洗濯ネットに関する。主としてブラジャーやカップ付きウエアーを洗うのに適した洗濯ネットに関するものである。
【背景技術】
【０００２】
従来の洗濯ネットとして、例えば特許文献１に見られるような、ブラジャーを入れて洗濯機で洗うのに適した略ドーム形状のブラジャー用洗濯ネットが知られている。
このドーム形状のブラジャー用洗濯ネットは、洗濯物の出し入れ口を形成するスライドファスナー（３ｂ）が稜線部分に設けられていた。
【先行技術文献】
【特許文献】
【０００３】
【特許文献１】特許第２６９６０９３号公報
【発明の概要】
【発明が解決しようとする課題】
【０００４】
最近の洗濯機は、節水タイプのものが多くなっている。
このような節水タイプの洗濯機で、上述した従来の洗濯ネットのようなスライドファスナーが稜線部分に設けられている洗濯ネットを用いて洗濯すると、スライドファスナーが洗濯槽と摺擦しやすく、破損しやすくなるということが分かった。
本発明が解決しようとする課題は、スライドファスナーが破損しにくい洗濯ネットを提供することである。
【課題を解決するための手段】
【０００５】
上記課題を解決するために、本発明の洗濯ネットは、
ネット素材からなる袋体を、中央部分で二つ折り可能に構成し、該中央部分の内側に、洗濯物の出し入れ口を形成するスライドファスナーを設け、該スライドファスナーは、前記中央部分における折り線方向に対して湾曲状に設けたことを特徴とする。
この洗濯ネットによれば、使用時、中央部分で二つ折りされたその中央部分の内側にスライドファスナーが配されるようにすることができるので、スライドファスナーは外部に露出しにくくなる。
したがって、洗濯ネット使用時に、スライドファスナーが洗濯槽と摺接しにくくなり、破損しにくくなる。
また、使用時、スライドファスナーが露出しにくくなるので、スライドファスナーが他の洗濯物と接触しにくくなる。
しかも、スライドファスナーは、前記中央部分における折り線方向に対して湾曲状に設けられているので、スライドファスナーを開けて、洗濯ネットを二つ折り状態から展開した際、洗濯物の出し入れ口が大きく形成されることとなる。
したがって、洗濯物の出し入れが行いやすくなる。
【０００６】
この洗濯ネットにおいては、
前記スライドファスナーと、前記袋体の外周部との間に、袋体に収納された洗濯物の端部を入れることができるポケット部が形成されている構成とすることができる。
このように構成すると、ポケット部が袋体内における洗濯物の移動を抑制するように作用するため、洗濯時、袋体内において洗濯物が偏りにくくなる。
しかも、ポケット部が設けられている分だけ、スライドファスナーは、袋体の外周部から内側に入った位置に配置されることとなるため、スライドファスナーがより露出しにくくなる。
【０００７】
この洗濯ネットにおいては、
前記スライドファスナーよりも前記袋体の外周部側において、前記ポケット部同士を連結するポケット連結部を設けた構成とすることができる。
このように構成すると、ポケット部を大きくしても、ポケット連結部でポケット部同士が連結されることにより、ポケット部同士の間が開きにくくなる。
したがって、ポケット部を大きくすることによって、袋体内における洗濯物の偏りを一層生じ難くすることができると同時に、スライドファスナーも一層露出しにくくすることができる。
【０００８】
この洗濯ネットにおいては、
前記袋体は、前記折り線側と反対側の端部を湾曲状とすることができる。
このように構成すると、ブラジャーやカップ付きウエアーのカップ部が袋体内に収まりやすくなるため、特にブラジャーやカップ付きウエアーを好適に洗うことができるようになる。
【図面の簡単な説明】
【０００９】
【図１】本発明に係る洗濯ネットの実施の形態を示す図で、（ａ）は平面図、（ｂ）は正面図、（ｃ）は左側面図、（ｄ）は右側面図、（ｅ）は底面図、（ｆ）は図（ｂ）におけるｆ−ｆ断面図、（ｇ）は図（ｂ）におけるｇ−ｇ断面図、（ｈ）は図（ｂ）におけるｈ−ｈ部分の拡大図、（ｉ）は図（ｂ）における矢印ｉ方向から見た斜視図。
【図２】（ａ）は展開した洗濯ネット１０の平面図、（ｂ）は図（ａ）の底面図、（ｃ）は洗濯物Ｂを入れた状態の平面図。
【図３】本発明に係る洗濯ネットの他の実施の形態を示す図で、（ａ）は平面図、（ｂ）は正面図、（ｃ）は左側面図、（ｄ）は右側面図、（ｅ）は底面図、（ｆ）は図（ｂ）におけるｆ−ｆ断面図、（ｇ）は図（ｂ）におけるｇ−ｇ断面図、（ｈ）は図（ｂ）におけるｈ−ｈ部分の拡大図、（ｉ）は図（ｂ）における矢印ｉ方向から見た斜視図。
【図４】他の実施の形態の斜視図。
【図５】洗濯ネット１０に用いる立体的ネット素材の一例の一部を拡大して示す模式図で、（ａ）は平面図、（ｂ）は断面図、（ｃ）は底面図、（ｄ）は斜め下方から見た斜視図。
【図６】袋体２０の層構造の説明図。
【図７】比較例における立体的ネット素材の一例の一部を拡大して示す模式図で、（ａ）は斜め上方から見た斜視図、（ｂ）は平面図、（ｃ）は断面図、（ｄ）は底面図。
【図８】比較例における袋体の層構造の説明図。
【図９】比較例における作用説明図。
【発明を実施するための形態】
【００１０】
以下、本発明に係る洗濯ネットの実施の形態について図面を参照して説明する。なお、各図において、同一部分ないし相当する部分には、同一の符号を付してある。
【００１１】
図１、図２に示すように、この実施の形態の洗濯ネット１０は、ネット素材からなる袋体２０を、中央部分２１で二つ折り可能に構成し、中央部分２１の内側に、洗濯物Ｂの出し入れ口２２を形成するスライドファスナー３０を設けたものである。スライドファスナー３０は、中央部分２１における折り線Ａ方向に対して湾曲状に設けられている。
【００１２】
この洗濯ネット１０は、図２に示すように、スライドファスナー３０を開けて洗濯ネット１０（袋体２０）を二つ折り状態から展開し、出し入れ口２２から洗濯物（例えばブラジャー）Ｂを袋体２０内に入れた後、再び袋体２０を図１に示すように二つ折りにしてスライドファスナー３０を閉じ、洗濯機に投入して洗濯物Ｂを洗うことができる。
【００１３】
この洗濯ネット１０によれば、使用時、図１に示すように、中央部分２１で二つ折りされたその中央部分２１の内側にスライドファスナー３０が配されるようにすることができるので、スライドファスナー３０は外部に露出しにくくなる。
別言すれば、この洗濯ネット１０は、折り線Ａの両側に一対のフラップ２０ｆ、２０ｆが袋体２０によって形成されたような状態となっており、そのフラップ２０ｆ同士の内側にスライドファスナー３０が配置されているので、図１（ｂ）に示すようにスライドファスナー３０が袋体２０（フラップ２０ｆ）の外周部２３よりも外側には出にくい状態となる。
【００１４】
したがって、洗濯ネット１０の使用時に、スライドファスナー３０が洗濯機の洗濯槽と摺接しにくくなり、破損しにくくなる。
また、使用時、スライドファスナー３０が露出しにくくなるので、スライドファスナー３０が他の洗濯物と接触しにくくなる。
しかも、スライドファスナー３０は、中央部分２１における折り線Ａ方向に対して湾曲状に設けられているので、図２に示すようにスライドファスナー３０を開けて、洗濯ネット１０を二つ折り状態から展開した際、洗濯物Ｂの出し入れ口２２が大きく形成されることとなる。
したがって、洗濯物Ｂの出し入れが行いやすい。
【００１５】
スライドファスナー３０と、袋体２０の外周部２３との間には、袋体２０に収納された洗濯物Ｂの端部Ｂ１（図２（ｃ））を入れることができるポケット部２４が形成されている。
このように構成すると、ポケット部２４が洗濯物Ｂの端部Ｂ１の動きを抑制して袋体２０内における洗濯物Ｂの移動を抑制するように作用するため、洗濯時、袋体２０内において洗濯物Ｂが偏りにくくなる。したがって、洗濯物Ｂを良好に洗うことが可能になる。
しかも、ポケット部２４が設けられている分だけ、スライドファスナー３０は、袋体２０の外周部２３から内側に入った位置に配置されることとなるため、スライドファスナー３０がより露出しにくくなる。
【００１６】
袋体２０は、折り線Ａ側と反対側の端部２５が湾曲状となっている。
このように構成すると、ブラジャーやカップ付きウエアーのカップ部が袋体２０内に収まりやすくなるため、特にブラジャーやカップ付きウエアーを好適に洗うことができるようになる。
【００１７】
図３は他の実施の形態を示す図である。
同図に示す洗濯ネット１０は、スライドファスナー３０よりも袋体２０の外周部２３側において、ポケット部２４同士を連結するポケット連結部１１を設けたことを特徴としている。
このように構成すると、ポケット部２４を大きくしても、図４に示すように、ポケット連結部１１でポケット部２４同士が連結されることにより、ポケット部２４同士の間が開きにくくなる。
したがって、ポケット部２４を大きくすることによって、袋体２０内における洗濯物Ｂの偏りを一層生じ難くすることができると同時に、スライドファスナー３０も一層露出しにくくすることができる。
【００１８】
この点についてさらに説明する。
ポケット部２４を大きくすると、例えば図３（ｃ）に示すように、スライドファスナー３０を設けた部位から袋外周までの距離Ｌ１が長くなるため、ポケット部２４はスライドファスナー３０を設けた部位を中心として矢印ａで示すように外側に開きやすくなり、その分、スライドファスナー３０が露出しやすくなるおそれがある。
これに対し、ポケット連結部１１を設けることによって、ポケット部２４を大きくしても、図４に示すように、ポケット連結部１１でポケット部２４同士が連結されることにより、ポケット部２４同士の間が開きにくくなる。
したがって、ポケット部２４を大きくすることによって、袋体２０内における洗濯物Ｂの偏りを一層生じ難くすることができると同時に、スライドファスナー３０も一層露出しにくくすることができる。
【００１９】
図示のポケット連結部１１は、ポケット部２４、２４の端部に設けた舌片１１ｃ、１１ｃと、この舌片１１ｃに設けたホック１１ｂで構成されているが、ポケット連結部１１は適宜の構成とすることができる。例えば、面ファスナーで構成することもできる。設ける位置も、スライドファスナー３０よりも袋体２０の外周部２３側であれば任意である。
【００２０】
以上のような洗濯ネット１０（図１，図３参照）は、図５に示すように、目の粗い第１ネット部材４１と、目の細やかな第２ネット部材４２とを、弾力性を備えた無数の糸部材４４で連結した立体的ネット素材（いわゆるダブルラッセル）４０を用いた洗濯ネットである。
図６にも示すように、立体的ネット素材４０は、目の細やかな第２ネット部材４２が袋体２０の外側に、目の粗い第１ネット部材４１が袋体２０の内側に位置するように配置し、目の粗い第１ネット部材４１の内側に該第１のネット部材４１より目の細やかな第３のネット部材４３（図６）を配置して、これら立体的ネット素材４０と第３のネット部材４３とで、洗濯物を入れる袋体２０を構成している。
【００２１】
この洗濯ネット１０によれば，立体的ネット素材４０を構成する目の粗い第１ネット部材４１によって適度な保形性と通水性が得られると同時に、目の細やかな第２ネット部材４２と第３のネット部材４３とによって袋体２０内部への糸くず等の侵入を防止することができる。袋体２０内に収納された洗濯物Ｂと接触するのは目の細やかな第３のネット部材４３であるから、洗濯物Ｂを傷めにくい。したがって、第３のネット部材４３は目の細やかな第２ネット部材４２より目の細かなものとすることが望ましい。
そして、立体的ネット素材４０は、目の細やかな第２ネット部材４２が外側に配置されるから、水に対する抵抗ないし水掻き作用が低下し、結果として、袋体２０内への糸くず等の侵入を効果的に防止することができる。
【００２２】
一般にダブルラッセルと称される立体的ネット素材４０の保形性は、第１および／または第２ネット部材４２の目の粗さを変えることで調整でき、目の粗さを大きくすれば保形性は増し、目の粗さを細かくすれば保形性は低減する。また、目の粗さを大きくすれば通水性は高くなり、目の粗さを細かくすれば通水性は低下する。
【００２３】
袋体２０に関する適度な保形性、通水性、および糸くず等の侵入防止性を考慮すれば、袋体２０を構成するに際し、図７、図８に示すように、立体的ネット素材４０は、目の細やかな第２ネット部材４２が内側に、目の粗い第１ネット部材４１が外側に位置するように配置し、目の細やかな第２ネット部材４２の内側に該第２ネット部材４２と同等またはより目の細やかな第３のネット部材４３を配置した構成とすることも可能である。
【００２４】
しかし、そのような構成の袋体２０’を用いた洗濯ネットとした場合、本件出願人の実験によると、目の細やかな第２ネット部材４２と第３のネット部材４３との間Ｓ（図８、図９）に、綿埃状のもの（綿埃及び細い糸くず等）が入り込み、洗濯の回数を重ねると、第２ネット部材４２と第３のネット部材４３との間Ｓに、綿埃状のものが蓄積されるという問題が生じることが分かった。
【００２５】
その理由は必ずしも明かとは言えないが、上記構成の袋体２０’を用いた洗濯ネットで洗濯を行うと、目の粗い第１ネット部材４１は通水性に優れており、かつその網目をなす枠部４１ｂ（図７、図９）と目の細やかな第２ネット部材４２とが多数の糸部材４４で連結されていることから、袋体２０の’表面に、水が入り込みやすい多数の凹部４５（図７、図９）が形成され、それらの凹部４５が図９に矢印Ｐで示すように水を掻く作用をなし、この水掻き作用によって凹部４５内の水圧が高まり、その水圧によって、綿埃状のものが、矢印Ｄで示すように目の細やかな第２ネット部材４２と第３のネット部材４３との間Ｓに押し込まれるからである、と考えられる。
【００２６】
これに対し、この実施の形態の洗濯ネット１０によれば，第２ネット部材４２と第３のネット部材４３との間に、綿埃状のものが蓄積されるという現象は見られなかった。その理由は、立体的ネット素材４０は、目の細やかな第２ネット部材４２が外側に配置されるから、水に対する抵抗ないし上述した水掻き作用が低下し（図６の矢印Ｐ’参照）、結果として、袋体２０内への綿埃状のものの押し込み作用が低減されるからであると考えられる。
【００２７】
なお、この実施の形態によると、袋体２０の外側に配置されるネット部材は、目の細やかな第２ネット部材４２であるので、洗濯ネット１０外の洗濯物も傷めにくくなる。
【００２８】
図１（ｆ）（ｇ）および図２に示すように、袋体２０は、上述したネット素材（４０，４３）からなる平面視トラック形状（楕円形状）の楕円部材２６と、平面視三日月形状の三日月部材２７との外周部２３をそれぞれ内側に折り込んで、バイヤステープ２８を添わせて逢着することによって形成され、三日月部材２７の内周辺にバイヤステープ２９を添わせてスライドファスナー３０を逢着することによって洗濯物Ｂの出し入れ口２２が形成されている。
図１に示すように、スライドファスナー３０の閉じ側最終端には、スライドファスナー３０のスライダー３１を収容するようにして覆う布ゴムバンド３２が設けられている。
【００２９】
以上、本発明の実施の形態について説明したが、本発明は上記の実施の形態に限定されるものではなく、本発明の要旨の範囲内において適宜変形実施可能である。
【符号の説明】
【００３０】
Ａ    折り線
Ｂ    洗濯物
Ｂ１  端部
１０    洗濯ネット
１１    ポケット連結部
２０    袋体
２１    中央部分
２２    出し入れ口
２３    外周部
２４    ポケット部
２５    端部
３０    スライドファスナー
【図１】
2014212889.tif 000003
【図２】
2014212889.tif 000004
【図３】
2014212889.tif 000005
【図４】
2014212889.tif 000006
【図５】
2014212889.tif 000007
【図６】
2014212889.tif 000008
【図７】
2014212889.tif 000009
【図８】
2014212889.tif 000010
【図９】
2014212889.tif 000011